Podtech/llm-jp-corpus-v4-ja_patent huggingface dataset:
(57)【要約】【課題】起動特性を良好とする水晶発振器を提供する。【解決手段】インダクタ成分としての水晶振動子３と分割コンデンサＣ１、Ｃ３とからなる共振回路１の両端に発振用増幅器２を接続してなる水晶発振器において、前記発振用増幅器の出力側と前記水晶振動子との間に制限抵抗Ｒ１を接続し、さらに前記水晶振動子と前記制限抵抗との接続点と、前記発振用増幅器の後段に設けた緩衝用増幅器出力側との間に、帰還コンデンサＣ２を接続した構成とすることにより、帰還信号が水晶振動子を経由して行われるため、水晶振動子の基本周波数から外れることなく、起動特性の良好な水晶発振器を得ることができる。【選択図】図１
2008172675.tif 000002
【特許請求の範囲】
【請求項１】
インダクタ成分としての水晶振動子と分割コンデンサとからなる共振回路の両端に発振用増幅器を接続し、
前記発振用増幅器の出力側と前記水晶振動子との間に制限抵抗を接続し、
前記発振用増幅器の後段に緩衝用増幅器を接続してなる水晶発振器において、
さらに前記水晶振動子と前記制限抵抗との接続点と、前記緩衝用増幅器の出力側との間に、帰還コンデンサを接続したことを特徴とする水晶発振器。
【請求項２】
前記制限抵抗をＲ１、前記帰還コンデンサの容量値をＣ２、
前記発信用増幅器の出力側に設けた前記分割コンデンサの容量値をＣ１、
水晶発信機の基本周波数をｆｏｓｃとしたとき
ｆｏｓｃ  ＜  １／（Ｒ１×（Ｃ１＋２×Ｃ２））
なる条件を満足する請求項１記載の水晶発振器。
【発明の詳細な説明】
【技術分野】
【０００１】
本発明は、水晶発振器に関するものであり、より詳細には、水晶発振器の起動特性を良好とする技術に関する。
【背景技術】
【０００２】
従来の起動特性を改善した水晶発振器としては、インダクタ成分としての水晶振動子と分割コンデンサとからなる共振回路の両端に発振用増幅器を接続してなる水晶発振器において、発振用増幅器の入出力間に発振出力の一部を帰還するコンデンサを設けた構成として、発振出力の一部を帰還することで発振用増幅器の見かけ上の増幅度を大きくして負性抵抗を大きくした水晶発信器がある。（例えば、特許文献１参照。）
【特許文献１】特開２００５−３０３６３９号公報  （第２図）
【発明の開示】
【発明が解決しようとする課題】
【０００３】
しかしながら、前記従来の構成では、実際に得られる発信周波数が帰還コンデンサの影響により、水晶振動子の持つ基本周波数からずれてしまったり、発信安定のために設けた帰還抵抗と帰還コンデンサにより、水晶振動子に関係なく発振してしまう、という課題を有していた。
【０００４】
本発明は、前記従来の課題を解決するもので、起動特性を良好とした水晶発振器を提供することを目的とする。
【課題を解決するための手段】
【０００５】
前記従来の課題を解決するために、本発明の水晶発振器は、インダクタ成分としての水晶振動子と分割コンデンサとからなる共振回路の両端に発振用増幅器を接続し、前記発振用増幅器の出力側と前記水晶振動子との間に制限抵抗を接続し、前記発振用増幅器の後段に緩衝用増幅器を接続してなる水晶発振器において、さらに前記水晶振動子と前記制限抵抗との接続点と、前記緩衝用増幅器の出力側との間に、帰還コンデンサを接続したことを特徴としたものである。
【０００６】
さらに、前記制限抵抗をＲ１、前記帰還コンデンサの容量値をＣ２、前記発信用増幅器の出力側に設けた前記分割コンデンサの容量値をＣ１、水晶発信機の基本周波数をｆｏｓｃとしたとき
ｆｏｓｃ  ＜  １／（Ｒ１×（Ｃ１＋２×Ｃ２））
なる条件を満足することを特徴としたものである。
【発明の効果】
【０００７】
本発明の水晶発振器によれば、帰還抵抗と帰還コンデンサにより意図しない発振をさせることなく、水晶発振器の起動特性を良好にすることができる。
【発明を実施するための最良の形態】
【０００８】
以下に、本発明の水晶発振器の実施の形態を図面とともに説明する。
【実施例１】
【０００９】
図１は、本発明の実施例における水晶発振器の回路図を示す。
【００１０】
図１において、１は共振回路、２は発振用増幅器、３は水晶振動子、４は緩衝用増幅器である。共振回路１は、水晶振動子３及び分割コンデンサＣ１（１５ｐＦ）、Ｃ３（１５ｐＦ）からなる。そして、発振用増幅器２の出力側と水晶振動子３との間に制限抵抗Ｒ１（３３０ｋΩ）を接続し、さらに水晶振動子３と制限抵抗Ｒ１との接続点と、緩衝用増幅器４との間に帰還コンデンサＣ２（０．５ｐＦ）を接続する。
【００１１】
以上の様に構成された水晶発振器についてその動作を以下に説明する。
【００１２】
電源投入時に、発振回路を構成するＩＣや電源自体のインピーダンス成分により回路側の負性抵抗が小さいことに起因して起動が出来ない場合において、緩衝用増幅器４により増幅された信号を、帰還コンデンサＣ２及び共振回路１を介して発信用増幅器２に帰還することにより、発信用増幅器２と緩衝用増幅器４の合計された増幅率による帰還がかかるため回路側の負性抵抗を大きくすることが可能となり、起動特性を良好にする。
【００１３】
また、共振回路１を経由しているため、帰還信号も含めて共振周波数にて選択増幅されるため発振周波数ｆｏｓｃが共振周波数からずれる危険性を回避できる。
【００１４】
以上の実施例において帰還コンデンサＣ２の値を大きくしすぎると、緩衝用増幅器４、制限抵抗Ｒ１、帰還コンデンサＣ２により発振を行う危険性があるため安定した発振を行う為には、制限抵抗Ｒ１、帰還コンデンサＣ２、分割コンデンサＣ１で構成される時定数を水晶振動子３の基本周波数以下にする必要がある。具体的には以下の式を満足させる必要がある。
【００１５】
ｆｏｓｃ＜１／（Ｒ１×（Ｃ１＋２×Ｃ２））
以上の条件を満足させることにより良好な起動特性と正確な発振周波数を得ることができる。
【産業上の利用可能性】
【００１６】
以上のように、本発明にかかる水晶発振器は、帰還抵抗と帰還コンデンサにより意図しない発振をさせることなく、水晶発振器の起動特性を良好にすることができるため、広範囲な発振周波数において有用な水晶発振器を設計することが出来る。
【図面の簡単な説明】
【００１７】
【図１】本発明の実施例における水晶発振器の回路図
【図２】従来の水晶発振器の回路図
【符号の説明】
【００１８】
１    共振回路
２    発振用増幅器
３    水晶振動子
４    緩衝用増幅器
５    帰還抵抗
６    共振回路
７    発振用増幅器
８    水晶振動子
９    緩衝用増幅器
１０  帰還抵抗
【図１】
2008172675.tif 000003
【図２】
2008172675.tif 000004
(57)【要約】【課題】外す対象の電子部品の近傍に耐熱性が同等以下の部品が実装されている場合、目的部品の接続部のみを溶融させて近傍の部品に影響を与えることなく、電子部品を外すことが従来技術では困難である。またはんだ接合部が溶融しても、部品自体を基板から外すにはメカ機構が必要になる。このような背景から、設備では部品を外すためのメカ機構はかなり大きなスペースが必要である。【解決手段】局所加熱源としてレーザ等の光ビーム７を使用し、接合パターン（ランド形状）に応じた開口を有する遮光マスク６を通して接合部のみを下から照射することにより接合部を溶融し、部品自体の重力により落下させ、外しを可能とする。部品位置のずれをセンサ１１で検知し、ビーム照射を遮断する手段により過剰加熱を回避できる。部品を外す機構は自重落下のみであり、部品を掴むメカ機構など複雑な構成を必要としない。【選択図】図１
2008172039.tif 000002
【特許請求の範囲】
【請求項１】
光ビーム加熱源と遮光マスクを備え、部品接合部に対し、下方から接合部のみを局所的
に加熱できる構造及び機構を有し、部品の接合部の溶融によって部品を落下させて捕集可
能とした電子部品外し方法及び電子部品外し・リペア装置。
【請求項２】
下方よりビーム照射中に電子部品が下方に変位したときに変位検出センサで検知してビ
ーム照射を遮断し、基板の異常加熱を防止できる機能を有したことを特徴とする電子部品
外し・リペア装置。
【発明の詳細な説明】
【技術分野】
【０００１】
本発明は、電子部品実装基板の局所加熱による部品リペア(交換)に関するものである。
【背景技術】
【０００２】
最近の電子部品実装した基板において、実装密度の向上及び部品形状の多様化がある。
部品をリペアする場合、部品の耐熱性等を考慮すると従来の温風式局所加熱ヒータでは条
件的に限界がある。また、ガスや液体(ミスト)の吹付け、あるいは直接、鏝で加熱する方
法では、近傍に性能に影響を及ぼす実装部品がある場合などに適用できない場合がある。
また、外す場合、直接、機構が接触する方式では、実装部品間の隙間が極めて狭い場合に
は、部品を固定したり掴めないなどの問題がある。
【０００３】
【特許文献１】特開２０００−３１５８５９号公報
【発明の開示】
【発明が解決しようとする課題】
【０００４】
解決しようとする問題点は、外す対象である電子部品の近傍に隙間無く耐熱性が同等以
下の部品が実装されている場合（表裏両面実装を含む）、目的部品の接続部のみを溶融さ
せて近傍の部品に影響を与えることなく、電子部品を外すことが従来技術では困難である
。
【課題を解決するための手段】
【０００５】
本発明は、局所加熱源としてレーザ等の光ビームを使用し、目的接合パターン（ランド
形状）に応じて開口部を有する遮光マスクを通して接合部のみへ下から照射することによ
って、接合部を溶融せしめ、さらに部品自体の重力によって落下することにより、外しを
可能とする。また、部品位置のずれを検知し、ビーム照射を遮断する手段により、過剰加
熱を回避することができる。
【発明の効果】
【０００６】
実装密度の高い基板において、周辺の他の部品への影響を与えずに非接触で部品を取り
外しを可能とする。また、局所加熱が可能であるので、他の部品への影響を与えずにリペ
アを可能とする。
【発明を実施するための最良の形態】
【０００７】
本発明では、遮光マスク（接合部のパターン開口仕様）を通じて下方より光ビームを局
所的に照射する構造である。また、光ビームに対し、反射特性を有する保持カゴを設置す
ることによって自重落下する部品の受け構造を有する。
【０００８】
図１は、本発明装置実施例である。基板４には、電子部品２が隙間無く表裏にはんだ接
合部３で基板上に実装されている。電子部品１は、不良部品であり、交換が必要なもので
あり、両隣は、同じはんだ材で同じ寸法の電子部品２が実装されている。不良部品１のみ
を基板から外すには、部品１のはんだ接合部３のみを局所的に溶融させて外す必要がある
。この場合、図１に示すように、下からビーム径の広い光ビーム７を、出射光学系８を透
過後、基板実装パターンと同じ開口をもつ遮光マスク６を通じて部品１のはんだ実装部へ
のみ照射を行う。接合部は一定時間後、溶融し、部品１は、自重で下へ落下する。
【０００９】
光ビームは、照射面積（ビーム径）を大きくできるキセノンランプや、はんだに対して
吸収・溶融に関し、実績のあるＹＡＧレーザや波長１μｍ付近の半導体レーザが適してい
る。
【００１０】
落下した部品１は、受けカゴ５で受け、保持される。カゴは、光ビームに対して反射率
の高い金属を原料としており、光ビーム波長が１μｍ前後の近赤外では金、銀、銅などが
反射率９５％程度である。また、カゴの材料の金属線径は、φ１０μｍ以下であり、光ビ
ームの透過の際のエネルギ損失は、無視できるほど小さいので照射に対する影響は少ない
。また、外す対象である部品１の高さ位置を、測長用レーザ９をハーフミラー１０で光ビ
ーム７と同軸化し、部品１に照射し、反射光により、高さ位置を測長センサ１１で監視す
る。部品１のはんだ接合部が溶融し、部品１の高さ位置が変動したことをセンサ１１が検
知すると、光ビーム発振機コントローラ１２へ変動検出と同時にビーム照射を遮断するよ
うに信号が送られ、ただちに照射は遮断され、必要以上のビーム照射を防止できるように
している。このようにして、基板や他の実装部品にダメージを加えることなく、不良部品
１のみを外すことができる。下へ落下させる際、自重で落下するので、外すためのメカ機
構は不要であり、非接触であるので、真下へ落下し、周囲に干渉するなど悪影響を与える
心配がない。
【産業上の利用可能性】
【００１１】
一般的に電子部品を実装した基板の部品リペアに適用可能である。特に、実装密度が高
く、耐熱性が低い等の性能維持に条件が必要な部品が不良部品の周辺に実装された実装基
板のリペアにおいて適用性が高い。
【図面の簡単な説明】
【００１２】
【図１】本発明による光ビームを利用した電子部品外し方式の概念図。
【符号の説明】
【００１３】
１…電子部品（外す対象であり不良品）、２…電子部品（良品）、３…はんだ接合部、
４…基板、５…金属製カゴ、６…遮光マスク、７…光ビーム、８…出射光学系、９…測長
検出用レーザ光、１０…ハーフミラー、１１…部品位置ずれ検出センサ、１２…光ビーム
発振機コントローラ。
【図１】
2008172039.tif 000003
(57)【要約】【課題】  従来から利用されている自動車バッテリーの性能や寿命を延ばし、燃費効率を向上させること。【解決手段】  バッテリーのプラス極に分流器を直列に接続する電流を使用し、使用幹線５〜６巻にして３台直列にし、２次配線を直列にして接続し、ダイオードでＤＣにして幹線に接続することによって、エンジンを始動する際などに大電流が流れ、その繰返しによる負荷を緩和しバッテリーの寿命を延ばすことによって、自動車の燃費効率を向上させることができる。【選択図】図１
2008172991.tif 000002
【特許請求の範囲】
【請求項１】
自動車エンジンの内燃機関の燃費効率を上げる。
【請求項２】
本装置を自動車に取付けることにより、エンジン始動時に流れる大電流による電圧降下やその繰返しによるバッテリーの劣化を抑え、バッテリーの寿命を延ばすことになる。
【発明の詳細な説明】
【技術分野】
【０００１】  本発明は、自動車バッテリーへの負荷を軽減する装置に関する。
【背景技術】
【０００２】
【特許文献１】
【特許文献２】
【非特許文献１】
【非特許文献２】
【発明の開示】
【発明が解決しようとする課題】
【０００３】  バッテリーは自動車のエンジンを始動する際に大電流が流れ、その繰返しによる負荷で劣化が進み、寿命が短かった。【０００４】  本発明はバッテリーに掛かる負荷を軽減し、バッテリーの寿命を延ばすことができ、電気自動車においては燃費効率が上昇する。
【課題を解決するための手段】
【０００５】  バッテリーのプラス極に分流器（ＣＴ４０ＶＡを２台〜３台）を直列に接続する電流を使用し、５回巻きにする。【０００６】  ２次配線には交流の電圧が発生するので、分流器を３台直列に接続し両端端子にダイオードを接続し、約１２Ｖの電圧が発生するように１次側のコイルを１２巻する。【０００７】  貫通型分流器を使用幹線５〜６巻にして３台直列にし、２次配線を直列にして接続し、ダイオードでＤＣにして幹線に接続する。
【発明の効果】
【０００８】  本装置の設置により発電効率が上昇し、燃費が１０％〜１５％良くなるので、これを利用することによってバッテリーの使用年数（寿命）が１年以上延び、経済的な消費電力が図れる。
【発明を実施するための最良の形態】
【０００９】  以下、本発明の実施の形態を図１に基づいて説明する。【００１０】  プラスチックボックス内に、使用幹線５〜６巻にした貫通型分流器ＣＴを３台直列にし、２次配線を直列にして接続し、ダイオードでＤＣにして幹線に接続する。【００１１】  自動車のトランク内に本発明を取付ける。
【産業上の利用可能性】
【００１２】  現代社会において、自動車は環境保全を中心に各企業において、電気自動車を含む環境に優しい自動車（エコカー）の開発とその利用がなされており、特にバッテリーは必要不可欠な部品である。【００１３】  従って、本発明は既設の設備に取り付けるだけで発電効率を上昇させる装置であるため、バッテリーの性能と寿命が延びることにより燃費が向上し、ひいては環境保全に役立つため、利用の可能性は十分に期待できる。
【図面の簡単な説明】
【００１４】
【図１】貫通型分流器の配線経路の平面図
【符号の説明】
１  貫通型分流器１
２  貫通型分流器２
３  貫通型分流器３
４  ダイオード（整流器）
５  ブレーカー
６  車体接地点
７  車体接地点
８  二次コイル出力端子（ＫＴ）
９  二次コイル出力端子（ＬＴ）
１０  二次コイル出力端子（ＫＴ）
１１  二次コイル出力端子（ＬＴ）
１２  二次コイル出力端子（ＫＴ）
１３  二次コイル出力端子（ＬＴ）
【図１】
2008172991.tif 000003
(57)【要約】      （修正有）【課題】企画、実験に関する意外性、創造性のある目的的計画実現の簡単な方法を発明する事。【解決手段】この発明は、国語辞典、理化学辞典等から、これはと言う言語を選び出しこれらを抽象的の程度に依って三段階位に分類し、同じグル−プだと難しいので、別のグル−プの中から、１つずつ２語、または３語の間で、それらの言語の本来の意味の組み合わせでは無く、言葉の意味を大きく捕えて、かつ、言葉同士の意味の融合を測りつつ良く考えひねり出して、意外性、ひいては創造性を持つ言葉、文章を創り出して、企画、実験の創案とする事を特徴とする研究者用の計画方法に関するものである。【選択図】図１
2008172986.tif 000002
【特許請求の範囲】
【請求項１】
言葉と言われるものを大きく三つ位のグル−プに分け、抽象的な概念から、具体的な特殊な概念まである程度分類して、羅列し、一番抽象的と思われる言葉を国語辞典、理化学辞典等からひろって羅列し、例として、存在、時間、波動力学、集まる、触媒、焦点互い違い、等とし、二番目に抽象的と思われるものをグル−プとして例として、生体高分子、制御棒、水圧器、パルス、放電管、スライド抵抗等とし、一番特殊で具体的な言葉、例として生体電気、磁力管等を、並べ、一番目と二番目、一番目と三番目、二番目と三番目のグル−プから各々一語ずつ言葉を選んで各々の言葉の意味を最大限に活用させ、一般的な言葉同士の組み合わせによる通常の使い方を例えば数学の世界に於けるベクトルの演算に例えて見ればこれを言葉同士の外積とし、言葉同士の間の関係を、その隔てを無くして、言わば両方の概念から湧き出てくるものを取り出す事を言葉同士の内積とし位置ずけ、この内積を得る働きを行ないその概念の持つ意外性、創造性に各研究者、企画者のおかれている立場の特殊性を加味して、その付加価値の方向ずけをベクトルに例えるなら、その単位ベクトルとして位置ずけ、その研究方法とし、場合に依っては、三語、四語等も考慮したこれらの、研究者向けの企画実験用の言語力学という研究方法。
【発明の詳細な説明】
【技術分野】
【０００１】本発明は言語の持つ意味を最大限利用し、二つあるいはそれ以上の言語の持つ意味の掛け合わせから出てくる意外性、創造性を持つ意味を探り、創出する事を特徴とする具体的な方法である。
【背景技術】
【０００２】言語の持つ意味等を深く探る方法として哲学という基礎の学問がある。
【発明の開示】
【発明が解決しようとする課題】
【０００３】
【０００４】この発明が解決しようとする課題は、研究、企画において、ともすれば、マンネリ化、超細分化に陥り易い方法、方向ずけを打破する方法を見つけだす出す事である。
【課題を解決する為の手段】
【０００５】ここでは言葉の持つ意味をを最大限に見立て、二つ以上の言葉から発するイメ−ジを、その言葉同士の各々の持つ意味を取り払って、最大限創出する方法。
【発明の効果】
【０００６】入力の二つの言語の外積から予想されるものよりたくさんのイメ−ジの内積が捻出された様である。
【発明を実施する為の最良の形態】
【０００７】創出されるイメ−ジがすぐに実行に結びつく出力具体化変換マニュアルがあると便利である。
【実施例１】
【０００８】言葉を大きく分けて抽象的な言葉から具体的な言葉を三段階に分け、一番抽象的な言葉を例として、存在、時間、波動力学、集まる、触媒焦点、互い違い、等とし、二番目に抽象的と思われるものの言葉のグル−プとして例として、生体高分子、制御棒、水圧器、パルス、放電管スライド抵抗等とし、一番特殊で具体的な言葉、例として生体電気、磁力管を並べ、これらの内、一番抽象的なグル−プから、存在を選び、二番目に抽象的なグル−プからパルスを選んで、それらの内積を採ったものを列挙してみた。
▲１▼存在とパルスは相補的な関係にある。
▲２▼パルスに依って存在の外部表現が大きくなる事もありうる。
▲３▼存在の抵抗もパルスの種類に依って異なり、また色々なパルスが考えられる。
▲４▼パルスの組み合わせで、存在としての抵抗は計算できる。
▲５▼パルスと、ある存在としてのしきい値との関係。
▲６▼パルスの周期と存在抵抗との関係。
以上は１５分程度の比較的短時間で出た。
【実施例２】
【０００９】一番目から波動力学、三番目から生体電気を選び内積を採った結果は
▲１▼電波の集積度
▲２▼電荷の安定性
▲３▼波動の抵抗とは
▲４▼電荷の落ち着き
▲５▼電荷の存在時間
▲６▼電荷の存在パラメ−タ−
▲７▼どこまで密に電荷を集積出来るか。
▲８▼電荷の集積抵抗の化学、バイオ
▲９▼電荷を電波で運ぶ方法は有るか
等が出た。
【実施例３】
【００１０】一番目から集まる、二番目からスライド抵抗を選び内積を採った結果は
▲１▼抵抗の密度を色々変える。
▲２▼抵抗の材料の検討
▲３▼二種類の抵抗のバランス
▲４▼抵抗の制御の方法
▲５▼抵抗の位置との曲線的変化
▲６▼抵抗の結合の仕方
▲７▼ワット数の大きな抵抗
▲８▼遺伝子の解裂抵抗
▲９▼遺伝情報のストック方法（遺伝子から見た）
▲１０▼ある変化の緩和時間
▲１１▼各種の変化に対する抵抗
▲１２▼内部抵抗の計算方法
等が出た。
【実施例４】
【００１１】二番目から生体高分子、三番目から生体電気を採り内積を採ると
▲１▼生体を半導体として見る。
▲２▼高分子の電荷分布
▲３▼アクティブ中心
▲４▼半導体と電磁波の相互作用
等が出た。
以上比較的常識的なものとある程度のものと半々                                    くらいである。
【産業上の利用分野】
【００１２】この方法は意外性を重視して居り、意外な結果をいくつも連ねて更に検討を加えれば企画、実験等の大きな参考になる方向性を得られるものと思われる。
【図面の簡単な説明】
【００１３】
【図１】図１は実施例１、実施例２、実施例３、実施例４の概念図である。
【符号の説明】
【００１４】  ▲１▼変化に対する抵抗と言う概念
▲２▼変化を起こさせるものという感じ
▲３▼媒質としての波動という概念
▲４▼電荷の凝縮したものという考え
▲５▼集まるという存在の仕方をイメ−ジする。
▲６▼抵抗の存在の仕方、在り方を追求する。
▲７▼電気を分布して持つ物体というイメ−ジ。
▲８▼電気的に制御するべき立場として生体をとらえる。
【図１】
2008172986.tif 000003
(57)【要約】【課題】    整流後の９０度位相がずれた電圧を並列接続した低リップル回路を提供する。【解決手段】個別の同じ規格の電源トランスによる両派整流回路を２回路設け、そのうちの１回路に絶縁トランスを介して電力を供給し、それぞれ両派整流後に並列接続をしたことを特徴とする低リップル整流回路。【選択図】図１
2008172985.tif 000002
【特許請求の範囲】
【請求項１】
個別の同じ規格の電源トランスによる両派整流回路を２回路設け、そのうちの１回路に絶縁トランスを介して電力を供給し、それぞれ両派整流後に並列接続をしたことを特徴とする低リップル整流回路。
【発明の詳細な説明】
【技術分野】
【０００１】本発明は、オーディオ用アンプの整流回路に関するものである。
【背景技術】
【０００２】従来の整流は単相の両波整流で行われていた。
【発明の開示】
【発明が解決しようとする課題】
【０００３】そのために次のような問題があった。
整流される交流が単相であるため両波整流をすると大量のリップルを含んだ直流になっていた。このため厳重な平滑回路が必要であった。本発明は以上の問題を解決するためになされたものである。
【課題を解決するための手段】
【０００４】個別の同じ規格の電源トランスによる両派整流回路を２回路設け、そのうちの１回路に巻き線比１対１の絶縁トランスを介して９０度位相の遅れた電力を供給し、それぞれ両派整流後に並列接続をする。以上を特徴とする低リップル整流回路である。
【発明の効果】
【０００５】２回路で両波整流され並列接続された電圧は、位相が９０度ずれているのでお互いに補完しあい、電源トランスの２次電圧の実行値以下の電圧が存在しなくなるので、リップルの少ない直流となる。
【発明を実施するための最良の形態】
【０００６】以下、本発明の回路構成について説明する。
（イ）電源トランス（１）の２次側をダイオード（４）で両波整流する。絶縁トランス（３）に電源トランス（２）を接続し、２次側をダイオード（５）で両波整流する。
（ロ）ダイオード（４）のアノードとダイオード（５）のアノードを接続する。
（ハ）ダイオード（４）のカソードとダイオード（５）のカソードを接続する。
本発明は以上のような構成で成り立っている。
【図面の簡単な説明】
【０００７】
【図１】  本発明の回路図
【符号の説明】
【０００８】  １  電源トランス
２  電源トランス
３  絶縁トランス
４  ダイオード
５  ダイオード
【図１】
2008172985.tif 000003
(57)【要約】【課題】通常の覗き見防止機能に加え、携帯電話本来の液晶画面の画質・機能を活かしたい場合は覗き見防止シートをめくり上げておくことができ、装着したままでも通常の携帯電話が使用でき、携帯電話カバーは着脱が可能な覗き見防止シートを提供する。【解決手段】携帯電話機種に合わせた携帯電話カバー（１）に覗き見防止シート（３）をワイヤー（２）で結合させ、不要時は覗き見防止シート（３）をしっかりとめくり上げることができるのが特徴である。【選択図】図１
2008172737.tif 000002
【特許請求の範囲】
【請求項１】
覗き見防止シート（４）を携帯電話カバー（１）に取り付けることで不要時はしっかりとめくり上げておくことができ携帯電話の高画質・高機能を損なうことなく、装着したまま携帯電話を使用できる着脱可能な覗き見防止シート。
【発明の詳細な説明】
【技術分野】
【０００１】  本発明は、携帯電話液晶画面の覗き見防止シートを、携帯電話に装着するカバーにとりつけることで不要時はしっかりとめくり上げておけ、携帯電話の高画質、高機能に支障をきたさない着脱可能な覗き見防止シートである。
【背景技術】
【０００２】携帯液晶画面に直接貼り付けるシールタイプがあった。
【発明の開示】
【発明が解決しようとする課題】
【０００３】これは次のような欠点があった。まず液晶画面の鮮明な画像や色彩を損なう欠点がある。さらに近年導入されたワンセグによるテレビ映像視聴により、液晶画面の鮮明さや仲間うちで見る視界の広さが必要とされ、精度の高まっていく携帯電話機能を無駄にするという欠点がある。精度の高い液晶画面の覗き見によるプライバシーの侵害や情報漏えいも当然危惧される。本発明は以上のような欠点をなくすためになされたものである。
【課題を解決するための手段】
【０００４】携帯電話カバー（１）にワイヤー（２）で覗き見防止シート（４）を縫うように結合させることで不要時はシートをしっかりとめくりあげておける。これは折り込むようにめくり上げるため状態をしっかり保てる。覗き見防止シール（３）とシート（４）の間にスペースがあるため、めくり上げ時に指紋による覗き見防止シール（３）の汚損も防げる。さらに超薄型であるため装着し続けても携帯電話の機能を損なうことのない着脱可能な覗き見防止シートが本発明の特徴ある。
【発明の効果】
【０００５】覗き見防止機能を備えたまま、精度の高まりをみせる携帯電話液晶画面の鮮明な画像、視聴範囲の広さが堪能でき、ＴＰＯに合わせ携帯電話画面機能が選べる。装着したままでも支障が無いため、液晶画面の保護の役目も果たし、デザイン性を持たせて着せ替えのように携帯画面を自分の好みに演出することができる。
【発明を実施するための最良の形態】
【０００６】携帯電話カバー（１）に覗き見防止シート（４）を結合させる。結合部分は細い棒状のワイヤー（２で切れ目の入った携帯電話カバー（１）と覗き見防止シート（４）を縫うようにつなぐ。本来の携帯電話機能に支障をきたさないよう、携帯電話カバー（１）の幅を携帯電話機種に合わせ、折り込むようにめくりやすくするため覗き見防止シート（３）の上部はカーブをもたせる。覗き見防止シール（３）と覗き見防止シート（４）の間にス若干のペースを持たせて覗き見防止シール（３）部の汚損を防止する。ワイヤー（２）は細いものを使用し両端には抜けないよう厚みまたは幅をもたせる。携帯電話カバー（１）はビニールもしくは伸縮性のある素材で覗き見防止シート（４）はビニール・プラスッチク系の素材が望ましい。本発明は以上のような構造である。
【図面の簡単な説明】
【０００８】
【図１】  本発明の正面図である。
【図１−１】  本発明の覗き見防止シートをめくり上げた正面図である。
【図２】  本発明の結合部詳細図である。
【図２−１】  本発明の覗き見防止シートをめくり上げた結合部詳細図である。
【図３】  本発明の結合部平面図である。
【図４】  本発明の携帯電話装着正面図である。
【図４−１】  本発明の覗き見防止シートをめくり上げた状態の携帯電話装着正面図である。
【符号の説明】
【０００９】１  携帯電話カバー
２  ワイヤー
３  覗き見防止シール
４  覗き見防止シート
５  携帯電話
６  携帯電話液晶画面
【図１】
2008172737.tif 000003
【図１−１】
2008172737.tif 000004
【図２】
2008172737.tif 000005
【図２−１】
2008172737.tif 000006
【図３】
2008172737.tif 000007
【図４】
2008172737.tif 000008
【図４−１】
2008172737.tif 000009
(57)【要約】      （修正有）【課題】ＤＶＤ映像鑑賞者がＴＶモニター画面上のメニュー画面を見る事無しに、リモコンにて映像シーン切替を行う。【解決手段】ＤＶＤ映像鑑賞中別の映像シーンを見たい場合、映像鑑賞を中断しメニュー画面に切り替え、各シーンメニューをモニター映像を見てリモコンを使用し選び出していたが、リモコン装置表面に各シーン写真を取り付け、対応するボタンを備えることによって、各ボタンが押されると、シーン写真に対応したシーンマーカー番号がＤＶＤプレーヤーに発信され、映像シーンが切り替わる。リモコン装置表面に取り付けるシーン写真表を交換することにより各ＤＶＤ映像ソフトに対応する。【選択図】図１
2008172740.tif 000002
【特許請求の範囲】
【請求項１】
リモコン装置表面にシーン写真表を取り付け、ＴＶモニター画面上に表示されるメニュー画面を必要とせず、映像シーン切替を行う事。
【発明の詳細な説明】
【技術分野】
【０００１】  この発明は、ＤＶＤソフト、メニュー画面中にある、各シーンメニューを、映像鑑賞時、メニュー画面に戻らず、直接シーンを選び出す、リモコン装置である。
【背景技術】
【０００２】  従来、ＤＶＤ映像鑑賞中、別の映像シーンを見たい場合、映像鑑賞を一時中断し、メニュー画面に切り替え、各シーンメニューをモニター映像を見て、リモコンを使用し選び出していた。
【発明の開示】
【発明が解決しようとする課題】
【０００３】    本発明は、リモコン装置を使用し、従来、ＴＶ画面上に表示するメニュー画面を必要とせず、シーン映像切替を行う。【０００４】    本発明は、リモコン装置表面に各シーン写真を取り付け、対応するボタンを備える。各ボタンが押されると、シーン写真に対応した、シーンマーカー番号が、ＤＶＤプレーヤーに発信され、映像シーンが切り替わる
【発明の効果】
【０００５】  ＤＶＤ視聴覚者はリモコン表面上にある、シーン写真を選び出し、対応したボタンを押す事により、即座に映像を変更する事ができる。そのため、ＤＶＤ視聴覚者は、メニュー画面を見る必要がない。
【発明を実施するための最良の状態】
【０００６】  ＤＶＤ映像ソフト製作者は、その製作時にシーンマーカー番号が入れられ、シーンマーカー番号に対応した、シーン写真表を作る。ＤＶＤ視聴覚者は、シーン写真表をリモコン装置表面に取り付ける。シーン写真に対応した、ボタンを押す事により、あらかじめ記憶したシーンマーカー番号をリモコン装置が送信し、ＤＶＤプレーヤーが映像シーンを切り替える。
リモコン装置表面に取り付けるシーン写真表を交換することにより、各ＤＶＤ映像ソフトに対応する。
【図面の簡単な説明】
【図１】本発明のシーンマーカーを選び出すＤＶＤ用リモコンの説明図である。
【符号の説明】
１は、シーン写真表
２は、シーン写真
３は、リモコン装置
４は、リモコン装置ボタンスイッチ
【図１】
2008172740.tif 000003
(57)【要約】【課題】  直方体で構成されるスピーカーから定在波を除去するため、内部に仕切り板を設置する事により平行面を無くしたキャビネットを提供する。【解決の手段】  キャビネット内部に交差する仕切り板を設け、内部平行面を除去する事により、定在波の発生防止を目的とした構造を特徴とする。【選択図】図６
2008172741.tif 000002
【特許請求の範囲】
【請求項１】
スピーカーキャビネット内部に４枚以上の仕切り板を交差するように設置した定在波除去装置。
【発明の詳細な説明】
【技術分野】
【０００１】  この発明は、スピーカー内部に仕切り板を設け、発生する定在波を除去することができる定在波除去装置に関するものである。
【背景技術】
【０００２】  従来の直方体形スピーカーは内部に定在波が発生した。
【発明の開示】
【発明が解決しようとする課題】
【０００３】  これは次のような欠点があった。
従来、多くのスピーカーエンクロージュアは直方体で作られ、これにより発生する定在波は避けられなかった。
形状がもたらす平行面によって必然的に生じるもので、これまでグラスウール等吸音材によって軽減すべく処理されていた。
しかし、吸音材によって生き生きとした音色も同時に損なわれる等、副次的弊害も誘発された。
最近では後方を絞り込んだリュート形のキャビネットも開発され、内外で高く評価されているが、製作の複雑さから極めて高額な価格設定がなされている。
本発明は、以上のような欠点を無くすためになされたものである。
【課題を解決する手段】
【０００４】  直方体のキャビネットの中に交差させた複数枚の仕切り板を設置する（図面１）。
底板に仕切り板（１）、仕切り板（２）を交差させ、かつ底板と平行にならないように装着する。目印（Ａ）、目印（Ｂ）間に仕切り板（３）を、目印（Ｃ）、目印（Ｅ）間に仕切り板（４）を設置する。
これにより長方形が必然的に有する全ての平行面が除去される。
本発明は、以上の構成よりなる定在波除去装置である。
【発明の効果】
【０００５】  量産されている安価なスピーカーシステムの片チャンネルにのみ定在波除去装置を設置し聞き比べた結果、驚く違いが出た。
同じユニットから出ているとは思えない程掛け離れた音である。
電気的には一切手を入れず、厚さ約３ミリのベニヤ板で仕切っただけの粗末な条件でさえ驚愕の変化が生じた。
【発明を実施するための最良の形態】
【０００６】  以下、本発明を実施するための最良の形態について説明する（図２）、（図３）。
仕切り板の形状は共振に耐え得るだけの厚みを持った直方体である。
キャビネットの底板に交差する２枚の仕切り板を設置し、天板との平行面を除去する。
より効果的なエネルギーの拡散の為、２枚の仕切り板の奥行きＤ及び幅Ｗを異なったサイズで設置する。
これにより仕切り板の傾斜も変化する。
キャビネットの対角線上に交差した２枚の仕切り板を設置し、側板及びフロントバッフル、リヤバッフル間の平行面を除去する（図４）。
仕切り板にユニットが接触する場合は、仕切り板を湾曲させ、ユニットとのクリアランスを確保する（図５）。
底板に設置された平板の仕切り板（図２）と対角線上に設置された平板の仕切り板（図４）を組み合わせる。（図１）。
底板に設置された湾曲した仕切り板（図３）と対角線上に設置された湾曲した仕切り板（図５）を組み合わせる。（図６）。
バリエーションとして、
（図２）、（図３）の底板に設置された仕切り板の片方のみを天板に設置する。
（図４）の高さ１Ｈ及び高さ２Ｈの長さを伸ばし、仕切り板（３）に食い込ませ、互いにオーバーハングさせ相互の補強を図る。
仕切り板（３）の高さ４Ｈの長さのみを伸ばし、仕切り板の平面の形を長方形から台形にする。
仕切り板（４）の高さ１Ｈの長さのみを伸ばし、仕切り板の平面の形を長方形から台形にする。
これらにより、最も強度が必要とされるフロントバッフルの補強と共に、一層複雑な分割が実施され、キャビネットは直方体であるにも拘わらずユニット後方に放たれた音は交差、反射、拡散し、エネルギーは分散され定在波の発生を防止する。
（図１）、（図６）は４枚の仕切り板を組み込んだオーソドックスな形であるが、仕切り板を平板にするか湾曲させるか、どの面に対してどのような条件で仕切り板を設置するか、又はどの対角線上に設置するか等はキャビネットの大小、ユニットの大小及び形状、バスレフダクトの位置や長さ、コスト等々、個々の条件によって対応すべきであり定まったものでは無い。しかし全ての平行面においてバリエーションがあてはまる。
仕切り板の全てがキャビネット内部に設置される為強度が得やすく、湾曲した仕切り板を使う事により小型ブックシェルフにも装着が可能である。
交差した２枚の仕切り板が基本を成す為、キャビネットの内容積を著しく減少させる事が無い。
リーズナブルであり装着に対して柔軟性に富む。
本発明は以上のような構造である。
【図面の簡単な説明】
【０００７】
【図１】    本発明の斜視図である。
【図２】    本発明の斜視図である。
【図３】    本発明の斜視図である。
【図４】    本発明の斜視図である。
【図５】    本発明の斜視図である。
【図６】    本発明の斜視図である。
【符号の説明】
【０００８】    １        仕切り板
２        仕切り板
３        仕切り板
４        仕切り板
ＡＢＣＥ  仕切り板を設置する為の目印。
【図１】
2008172741.tif 000003
【図２】
2008172741.tif 000004
【図３】
2008172741.tif 000005
【図４】
2008172741.tif 000006
【図５】
2008172741.tif 000007
【図６】
2008172741.tif 000008
(57)【要約】      （修正有）【課題】オーディオ機器から音を聞く際、スピーカーで聞く場合とヘッドホンで聞く場合があるが、その双方の切り換えを行いたい時に、ヘッドホンをヘッドホン端子につないだり、はずしたりしなければならないという不便さを解決する。【解決手段】オーディオ機器本体１とリモコンの双方もしくはどちらか一方に、スピーカー／ヘッドホン切換スイッチ４を設置し、ヘッドホンがヘッドホン端子３につながれた状態で、この切換スイッチ４の操作でスピーカーからの音を聞くかヘッドホンからの音を聞くかを決定する。【選択図】図１
2008172742.tif 000002
【特許請求の範囲】
【請求項１】
ヘッドホンがオーディオ機器のヘッドホン端子につながっている状態で、機器本体のスピーカーから音を聞くのかヘッドホンから音を聞くのかを、機器本体もしくはリモコンに備え付けられたスピーカー／ヘッドホン切換スイッチにより、瞬時に決定できるシステム。
【請求項２】
ヘッドホンがオーディオ機器のヘッドホン端子につながっている状態で、機器本体の表示部分等の点灯色等によりスピーカーから音が出るのかヘッドホンから音が出るのかを確認しながら、機器本体もしくはリモコンに備え付けられたスピーカー／ヘッドホン切換スイッチにより、どちらで音を聞くのかを瞬時に決定できるシステム。
【請求項３】
ヘッドホンがオーディオ機器のヘッドホン端子につながっている状態で、機器本体もしくはリモコンからの発信音の種類によりスピーカーから音が出るのかヘッドホンから音が出るのかを確認しながら、機器本体もしくはリモコンに備え付けられたスピーカー／ヘッドホン切換スイッチにより、どちらで音を聞くのかを瞬時に決定できるシステム。
【発明の詳細な説明】
【技術分野】
【０００１】  本発明は、オーディオ機器に関するものであり、スピーカーで音を聞くかヘッドホンで音を聞くかを切換スイッチにより瞬時に決定できるようにするシステムである。
【背景技術】
【０００２】  従来から、オーディオ機器から音を聞く際、スピーカーによる方法とヘッドホンによる方法が利用されている。
【発明の開示】
【発明が解決しようとする課題】
【０００３】  しかし、従来ヘッドホンが機器本体のヘッドホン端子につながっている場合、スピーカーから音は聞こえず、この状態よりスピーカーからの音を聞きたくなった場合は、ヘッドホンを端子からその都度はずさなければない。逆にスピーカーからヘッドホンに切り換えたいときは、ヘッドホンを端子につなげなければならず、非常に不便である。特にヘッドホン端子が機器本体の後ろに設置されている場合は、端子の位置を確認するなどして、端子につなげたり、端子からはずしたりしなければならないので甚だ不便である。本発明はこのような手間を省くことを課題とする。
【課題を解決するための手段】
【０００４】  この課題を解決するための［請求項１］の発明は、ヘッドホンはオーディオ機器本体のヘッドホン端子につなげた状態を基本としながら、機器本体もしくはリモコンに設置された切換スイッチにより、スピーカーで音を聞くかヘッドホンで音を聞くか瞬時に決定できるシステムである。【０００５】  また、［請求項２］の発明は、スピーカーから音が出るのかヘッドホンから音が出るのかすぐに判断できるように、機器本体の表示部分等が例えばスピーカーの場合は赤色に点灯し、ヘッドホンの場合は青色に点灯する、というような工夫を施したものである。さらにヘッドホンが端子につながれていない場合は無条件でスピーカーから音が出ることとし、この場合の本体表示部分の点灯色は例えばオレンジとするというようなことを付け加えてもよいであろう。【０００６】  また、［請求項３］の発明は、スピーカーから音が出る状態なのかヘッドホンから音が出る状態なのかをある種の発信音により判断するのを特徴とする。これは機器本体の表示部分等の点灯色が何らかの理由により確認できない場合有効である。例えば、電源を入れた際に機器本体もしくはリモコンから「ピッ」という音が発せられたならスピーカーで、「ピピッ」という音ならヘッドホン、無音ならヘッドホンがつながっていない状態を示すというような処置が考えられる。
【発明の効果】
【０００７】  本発明により、ヘッドホンをオーディオ機器の端子に一々つなげたり、はずしたりする手間が省ける。また、電源を入れた瞬間に表示部分を見るか発信音を聞くかすれば、ヘッドホンが端子につながっているのかどうか、またスピーカーから音が出る状態なのかヘッドホンから音が出る状態なのか瞬時に判断できる。
【発明を実施するための最良の形態】
【０００８】  図１は、ある種のオーディオ機器本体の例である。この図は箱型の機器の正面を真正面から見たものであり、説明に関係のない部分については省略してある。この図に示したヘッドホン端子、スピーカー、スピーカー／ヘッドホン切換スイッチ、表示部分の設置位置はあくまで例であって、製造者が利用者の利便性を念頭に任意に設置すればよい。ここに示した切換スイッチにより、ヘッドホンがオーディオ機器につながっている状態である場合、瞬時にスピーカーで音を聞くのか、ヘッドホンで音を聞くのかを決定できる。スイッチの形状は色々考えられるが、ここではボタン式のものを示した。この場合、１度操作をする毎に他方に切り換わるというような方法が考えられる。また、ここに示したような表示部分の点灯色等により、スピーカーから音が出るのかヘッドホンから音が出るのか瞬時に判断できる。【０００９】  図２は、ある種のリモコンの例である。この図は薄い箱型のリモコンの正面を真正面から見たものであり、説明に関係のない部分については省略してある。この図に示したスピーカー／ヘッドホン切換スイッチの位置も飽くまで例であって、製造者が利用者の利便性を念頭に任意に設置すればよい。この切換スイッチによっても、ヘッドホンがオーディオ機器につながっている状態である場合、瞬時にスピーカーで音を聞くのか、ヘッドホンで音を聞くのかを決定できる。ここでも、スイッチの形状は色々考えられるが、ボタン式のものを示した。この場合も、１度操作をする毎に他方に切り換わる等の方法が考えられる。【００１０】  この例に見るように、従来のオーディオ機器へこのシステムの導入は、一般のオーディオ機器の製造に使用されている通常の材料や技術により可能であろう。
【産業上の利用可能性】
【００１１】  従って、本発明に係わるシステムは、工業的に量産する事が可能であるため、産業上の利用可能性を有する。
【図面の簡単な説明】
【００１２】
【図１】  オーディオ機器本体の例を示した図である。表示部分とは、文字やラジオの周波数等が表示される場所である。この例では、スピーカー／ヘッドホン切換スイッチがボタン式になっているが、この他スライド式等、色々考えられる。
【図２】  リモコンの例を示した図である。ここでも、スピーカー／ヘッドホン切換スイッチがボタン式になっているが、やはりこの他スライド式等、色々考えられる。
【符号の説明】
【００１３】  １    オーディオ機器本体
２    スピーカー
３    ヘッドホン端子
４    スピーカー／ヘッドホン切換スイッチ
５    表示部分
６    リモコン
【図１】
2008172742.tif 000003
【図２】
2008172742.tif 000004
(57)【要約】【課題】より薄型化が可能な液晶表示装置を提供する。【解決手段】アレイ基板１４と対向基板１６によって液晶層１５を挟持し、アレイ基板１４の側部にＬＥＤ１８が配され、アレイ基板１４より形成され、アレイ基板１４内部にＬＥＤ１８からの光を面上に拡散させ、且つ、液晶層１５側に屈折する変性領域を形成したものである。【選択図】      図１
2008129150.tif 000002
【特許請求の範囲】
【請求項１】
アレイ基板と対向基板によって液晶層を挟持し、前記アレイ基板の側部に光源が配された液晶表示装置において、
前記アレイ基板は、透光性絶縁基板より形成され、
前記アレイ基板内部に前記光源からの光を面状に拡散させ、かつ、前記液晶層側に屈折する変性領域を形成した、
液晶表示装置。
【請求項２】
前記透光性絶縁基板内の前記変性領域は、光高密度エネルギーにより変性されている、
請求項１記載の液晶表示装置。
【請求項３】
前記透光性絶縁基板内の前記変性領域の位置は、前記光源側の一端部から他端部に向かって前記液晶層に近くなる、
請求項１記載の液晶表示装置。
【請求項４】
前記透光性絶縁基板が、ガラス基板である、
請求項１記載の液晶表示装置。
【発明の詳細な説明】
【技術分野】
【０００１】
本発明は、液晶表示装置の照明装置に関するものである。
【背景技術】
【０００２】
最近の液晶表示装置においては薄型化が図られ、特に、携帯電話等に搭載される液晶表示装置は、その薄型化の要求が高い。そのため、従来より液晶パネルの裏面に配されるバックライトは、導光板の側部に点光源であるＬＥＤを配し、バックライトを極力薄型化したものが提案されている（例えば、特許文献１参照）。
【特許文献１】特開２００５−１２１８２９号公報
【発明の開示】
【発明が解決しようとする課題】
【０００３】
上記のような構造の液晶表示装置においては、バックライトには、ＬＥＤからの光を面上に拡散させ、かつ、液晶パネルに屈折させるための導光板、反射板、プリズムシート等が必要であり、バックライトを薄型化するには限度があった。
【０００４】
そこで、本発明は上記問題点に鑑み、より薄型化が可能な液晶表示装置を提供する。
【課題を解決するための手段】
【０００５】
本発明は、アレイ基板と対向基板によって液晶層を挟持し、前記アレイ基板の側部に光源が配された液晶表示装置において、前記アレイ基板は、透光性絶縁基板より形成され、前記アレイ基板内部に前記光源からの光を面状に拡散させ、かつ、前記液晶層側に屈折する変性領域を形成した、液晶表示装置である。
【発明の効果】
【０００６】
本発明によれば、アレイ基板内部で光を拡散させ、屈折させているため、従来のようなバックライトが不要となり、より薄型化を行うことができる。
【発明を実施するための最良の形態】
【０００７】
以下、本発明の一実施形態の液晶表示装置１０について図１及び図２に基づいて説明する。
【０００８】
本実施形態の液晶表示装置１０は、薄型化された携帯電話に搭載されるものであり、２〜３インチのサイズである。
【０００９】
この液晶表示装置１０の液晶パネル１２は、アレイ基板１４と、対向基板１６と、アレイ基板１４と対向基板１６とに挟まれた液晶層１５とより構成されている。
【００１０】
また、液晶パネル１２の側部で、かつ、その中央部に、点光源であるＬＥＤ１８が配されている。このＬＥＤ１８とアレイ基板１４との間には、偏光部２０が介されている。
【００１１】
アレイ基板１４は、ガラス基板より構成され、その内部に変性領域２２が形成されている。この変性領域２２は、図２に示すようにＬＥＤ１８から経た光が偏光部２０によって直線偏光される。そして、直線偏光された光が、面上に拡散するようにし、かつ、図１に示すように液晶層１５に向かって屈折するようにしている。即ち、変性領域２２は、ＬＥＤ１８からの光を図２に示すように均等に拡散させ、また、ＬＥＤ１８からの光をほぼ直角に屈折させ、液晶層１５に入射させている。
【００１２】
この変性領域２２は、アレイ基板１４の面状全てに存在し、また、断面の位置に関しては、図２に示すように、ＬＥＤ１８側は、アレイ基板１４の裏面側に位置し、その後ＬＥＤ１８から離れるほどに液晶層１５に近づく傾斜した状態となっている。図１ではこの変性領域２２を斜線で示している。
【００１３】
このアレイ基板１４内部に変性領域２２を形成する方法としては、例えば特開２００５−２７５２６８公報に示されるような技術を用いて形成することができる。具体的にはアレイ基板１４が溶融石英を用いたガラス基板を用いているとすると、そのガラス基板の屈折率変化の誘起が完了する完了時間内にある複数の光パルスをセットとして、その光パルスのセットを完了時間よりも長い間隔を開けて繰り返し照射し、ガラス基板の所定の領域の屈折率を変化させている。この複数の光パルス内の最初の光パルスの振幅は、後続の他の光のパルスの振幅よりも小さくし、完了時間としては１〜１００ｐｓとする。
【００１４】
このように、アレイ基板１４を構成するガラス基板について各領域においてＬＥＤ１８からの光が面上に拡散し、かつ、液晶層１５側に屈折するように各領域に光高密度エネルギーである光パルスを与えて変性させている。そして、このような各領域における屈折率の変性部分が集合した領域が変性領域となる。
【００１５】
上記のようにアレイ基板１４内部で、光を面上に拡散させ、液晶層１５側に屈折させることにより、従来必要であった導光板やプリズムシート、拡散板が不要となり、いわゆるバックライトの概念が不要となる。そして、単にアレイ基板１４の側部に偏光部２０を介してＬＥＤ１８を設けるだけで液晶パネル１２の照明を行うことができるため、より薄型化を行うことができる。
【００１６】
なお、上記実施形態では特開２００５−２７５２６８公報の技術を用いて変性領域を形成したが、これに限らず光高密度エネルギーを加えてガラス基板内部に変性領域を形成する方法であれば、他の方法を用いてもよい。
【００１７】
（変更例）
本発明は上記各実施形態に限らず、その主旨を逸脱しない限り種々に変更することができる。
【００１８】
例えば、上記各実施形態では、ＬＥＤ１８を１個だけ設けたが、これに限らずアレイ基板１４の側部に複数個配列させてもよい。
【００１９】
また、ＬＥＤ１８に限らず直管状の冷陰極管をアレイ基板１４の側部に沿って配してもよい。
【図面の簡単な説明】
【００２０】
【図１】本発明の一実施形態を示す液晶表示装置の縦断面図である。
【図２】同じく液晶表示装置の底面図である。
【符号の説明】
【００２１】
１０  液晶表示装置
１２  液晶パネル
１４  アレイ基板
１５  液晶層
１６  対向基板
１８  ＬＥＤ
２０  偏光部
２２  変性領域
【図１】
2008129150.tif 000003
【図２】
2008129150.tif 000004